(57)【要約】【課題】苗の植え付け作業の効率化と育成期間の短縮を図ることができるクマツヅラ科イワダレソウ属植物の生産方法を提供する【解決手段】本発明は、ポット１内に固形培土２を設置した後、固形培土２を苗と培土との混合物３で覆土して、苗を育成することを特徴とする。本発明によれば、ポット１内に設置された固形培土２を苗と培土との混合物３で覆土することにより、苗の植え付け作業が完了する。従って、苗の植え付けを効率良く実施でき、作業者の負担も軽減することが可能となる。また、本発明によれば、苗から発根した根が固形培土２に根付くため、根が十分に根付く前にポット１を外しても、固形培土２が崩れたり、苗が固形培土２から脱落することが少ない。また、固形培土２は、培土と比較して根が絡み付きやすい。従って、苗の育成期間を短縮することができ、早期の出荷が可能となる。【選択図】図２
2007282539.tif 000002
【特許請求の範囲】
【請求項１】
クマツヅラ科イワダレソウ属植物の生産方法であって、ポット内に固形培土を設置した後、前記固形培土を前記植物の苗と培土との混合物で覆土して、前記苗を育成することを特徴とする方法。
【請求項２】
クマツヅラ科イワダレソウ属植物の生産方法であって、トレイ上に仕切り板により区画された複数の空間を形成し、該空間に固形培土を設置した後、前記固形培土を前記植物の苗と培土との混合物で覆土して、前記苗を育成することを特徴とする方法。
【請求項３】
前記固形培土の上面に凹部を設けたことを特徴とする請求項１又は２に記載の方法。
【請求項４】
設置される高さが異なる複数の棚の上に前記ポットを設置して、前記苗を育成することを特徴とする請求項１に記載の方法。
【請求項５】
前記棚がトレイであって、該トレイを支持する支持装置に着脱可能であることを特徴とする請求項４に記載の方法。
【請求項６】
前記トレイを高さを異ならせて支持可能な支持装置に前記トレイを設置して、前記苗を育成することを特徴とする請求項２に記載の方法。
【請求項７】
前記トレイが前記支持装置に着脱可能であることを特徴とする請求項６に記載の方法。
【発明の詳細な説明】
【技術分野】
【０００１】
本発明は、クマツヅラ科イワダレソウ属植物の生産方法に関するものである。
【背景技術】
【０００２】
クマツヅラ科イワダレソウ属植物としては、イワダレソウ（Ｌｉｐｐｉａ  ｎｏｄｉｆｌｏｒａ）、ヒメイワダレソウ（Ｌｉｐｐｉａ  ｃａｎｅｓｃｅｎｓ）及びそれらの改良種が知られている。
【０００３】
かかる植物の生産技術として、例えば、特開２００２−３３０６２２号公報及び特開２００２−３３０６２６号公報には、土壌に苗を植え付け、その両側に透水性シートを敷き、苗から伸長した茎をそれらのシート上に繁茂させる方法が開示されている。また、特開２００５−３２８７９６号公報には、透水性等を有するシート上を培養土で覆土した後、該培養土に苗を植え付ける方法が開示されている。
しかしながら、従来の生産技術では、根をシートに根付かせる方法であるため、大量に生産するには、広大な栽培面積を要するという問題があった。また、根がシートに根付くまでに長期間を要するという問題もあった。
【０００４】
一方、特開２００３−０４７３３１号公報には、ポット内に培土を充填した後、該培土に苗を挿し芽する方法が開示されている。
しかしながら、この方法では、ポット内に充填された培土に苗を植え付けるため、苗の育成期間経過後にポットを外す時に培土が崩れ易く、保形性の点で問題がある。また、挿し芽により苗を植え付ける方法は、非効率的で作業者の負担となっていた。
【０００５】
【特許文献１】特開２００２−３３０６２２号公報
【特許文献２】特開２００２−３３０６２６号公報
【特許文献３】特開２００５−３２８７９６号公報
【特許文献４】特開２００３−０４７３３１号公報
【発明の開示】
【発明が解決しようとする課題】
【０００６】
本発明は、苗の植え付け作業の効率化と育成期間の短縮を図ることができる生産方法を提供することを課題とするものである。
【課題を解決するための手段】
【０００７】
本発明は、上記課題を解決するため、以下の方法を提供する。
１．クマツヅラ科イワダレソウ属植物の生産方法であって、ポット内に固形培土を設置した後、前記固形培土を前記植物の苗と培土との混合物で覆土して、前記苗を育成することを特徴とする方法。
２．クマツヅラ科イワダレソウ属植物の生産方法であって、トレイ上に仕切り板により区画された複数の空間を形成し、該空間に固形培土を設置した後、前記固形培土を前記植物の苗と培土との混合物で覆土して、前記苗を育成することを特徴とする方法。
３．前記固形培土の上面に凹部を設けたことを特徴とする前記１又は２に記載の方法。
４．設置される高さが異なる複数の棚の上に前記ポットを設置して、前記苗を育成することを特徴とする前記１に記載の方法。
５．前記棚がトレイであって、該トレイを支持する支持装置に着脱可能であることを特徴とする前記４に記載の方法。
６．前記トレイを高さを異ならせて支持可能な支持装置に前記トレイを設置して、前記苗を育成することを特徴とする前記２に記載の方法。
７．前記トレイが前記支持装置に着脱可能であることを特徴とする前記６に記載の方法。
【発明の効果】
【０００８】
前記１に記載の本発明によれば、ポット内に設置された固形培土をイワダレソウ属植物の苗と培土との混合物で覆土することにより、苗の植え付け作業が完了する。従って、苗の植え付けを効率良く実施でき、作業者の負担も軽減することが可能となる。また、本発明によれば、苗から発根した根が固形培土に根付くため、根が十分に根付く前にポットを外しても、固形培土が崩れたり、苗が固形培土から脱落することが少ない。また、固形培土は、培土と比較して根が絡み付きやすい。従って、苗の育成期間を短縮することができ、早期の出荷が可能となる。
前記２に記載の本発明によれば、イワダレソウ属植物を１つのトレイ上で大量に、かつ能率的に生産することが可能になる。また、前記１に記載の発明と同様に、苗の植え付けを効率良く実施でき、作業者の負担も軽減することが可能となるとともに、苗の育成期間を短縮することができ、早期の出荷が可能となる。
前記３に記載の本発明によれば、凹部により、固形培土の上面の表面積が増加して、苗から発根した根の絡み付きをさらに良くすることができる。従って、苗の育成期間をさらに短縮することができる。また、ポットを外した場合でも、苗の安定性が良好であるため、ポットを外した状態での出荷が可能となる。
前記４に記載の本発明によれば、設置される高さが異なる複数の棚の上にポットを設置して、苗を育成するため、小さな栽培面積で大量に生産することが可能となる。
前記５に記載の本発明によれば、ポットが載置される棚がトレイであって、該トレイは、該トレイを支持する支持装置に着脱可能であるため、出荷時においても、複数のポットをトレイに載せて運搬することができ、運搬作業の省力化を図ることが可能となる。
前記６に記載の本発明によれば、トレイを高さを異ならせて支持可能な支持装置にトレイを設置して、苗を育成するため、前記４に記載の発明と同様に、小さな栽培面積で大量に生産することが可能となる。
前記７に記載の本発明によれば、トレイが支持装置に着脱可能であるため、前記５に記載の発明と同様に、運搬作業の省力化を図ることが可能となる。
【発明を実施するための最良の形態】
【０００９】
以下、本発明の実施の形態を図面に示した実施例に従って説明する。
【実施例１】
【００１０】
本実施例では、まず、図１に示したように、ポット１内に固形培土２を設置する。ここで、ポット１は、プラスチック等からなる容器であり、開口部が円形のものや方形のものを用いることができる。固形培土２としては、ロックウールやヤシ殻等からなるものを用いることができ、その形状は何等限定されるものではないが、上面に凹部２ａが設けられたものを用いることが好ましい。
【００１１】
ポット１内に固形培土２を設置したならば、灌水し、その後、図２に示したように、固形培土２をクマツヅラ科イワダレソウ属植物の苗（以下、単に「苗」という。）と培土との混合物３で覆土する。ここで、クマツヅラ科イワダレソウ属植物としては、イワダレソウ（Ｌｉｐｐｉａ  ｎｏｄｉｆｌｏｒａ）、ヒメイワダレソウ（Ｌｉｐｐｉａ  ｃａｎｅｓｃｅｎｓ）及びそれらの改良種、例えば、イワダレソウの改良種である、品種名「Ｓヒトシ」（品種登録第１２０４１号、２００４年３月１５日登録）などが含まれる。イワダレソウ属植物は、節から発芽・発根するため、その苗は、節を含むように茎を所定長さに切断したものである。混合物３は、培土に苗を混ぜ合わせたものである。
【００１２】
本実施例によれば、以上の工程により、苗の植え付け作業が完了する。そして、その後は、適宜灌水を行う。
【００１３】
苗の育成方法としては、栽培場所に多数のポット１を並べて配置しても良いが、この方法では、従来のシートを用いた生産方法と同様に、大量生産するために、広大な栽培面積が必要となる。そこで、図３に示したように、設置される高さが異なる複数の棚４の上にポット１を多数設置して、苗を育成することが好ましい。この方法によれば、小さな栽培面積で大量に生産することが可能となる。
【００１４】
また、棚４としては、板であっても良いが、トレイであることが好ましく、さらに、該トレイが、該トレイを支持する支持装置８に着脱可能であることが好ましい。ここで、支持装置８としては、図４に示したように、所定の高さを有する本体フレーム８ａと、該本体フレーム８ａから突出する支持アーム８ｂとを有するものを用いることができる。かかる支持装置８によれば、支持アーム８ｂの上にトレイを載せることで、トレイが取り外し可能に支持される。
【００１５】
棚４として、支持装置に着脱可能なトレイを用いることにより、多数のポット１をトレイ上に載せたままで運搬することが可能となるため、出荷時においても、ポット１の運搬作業の省力化を図ることが可能になる。
【００１６】
本実施例に係る生産方法によれば、上記したように、固形培土２を苗と培土との混合物３で覆土することにより、苗の植え付け作業が完了するため、挿し芽により苗を植え付ける方法よりも効率良く苗の植え付けを実施することができ、作業者の負担も軽減することができる。
【００１７】
また、苗から発根した根は、固形培土２に根付くことになるため、根が十分に根付く前にポット１を外しても、固形培土２が崩れたり、苗が固形培土２から脱落することが少ない。また、固形培土２は、培土と比較して根が絡み付きやすい。従って、苗の育成期間を短縮することができ、早期の出荷が可能となる。
【００１８】
さらに、固形培土２の上面に凹部２ａを設けることにより、固形培土２の上面の表面積が増加して、根の絡み付きがさらに良くなる。従って、苗の育成期間をさらに短縮することができる。また、ポット１を外した場合でも、凹部２ａを設けることにより苗の安定性（非脱落性）が向上するため、ポット１を外した状態での出荷が可能となる。また、このようにポット１を外した状態で出荷すれば、定植現場において、ポット１を取り外す作業やポット１の廃棄処理が不要になるという利点がある。一方、苗の育成場においては、ポット１を再利用できるという利点がある。
【実施例２】
【００１９】
本実施例では、まず、図５に示したように、トレイ５上に仕切り板６により区画された複数の空間７を形成し、各空間７に固形培土２を設置する。ここで、固形培土２としては、実施例１と同様のものを用いることができる。固形培土２の上面には、凹部２ａが設けられることが好ましい。
【００２０】
各空間７に固形培土２を設置したならば、灌水し、その後、図６に示したように、固形培土２を苗と培土との混合物３で覆土する。ここで、苗は、実施例１と同様に、クマツヅラ科イワダレソウ属植物の苗であって、イワダレソウ、ヒメイワダレソウ及びそれらの改良種の苗を含む。
【００２１】
本実施例によれば、以上の工程により、苗の植え付け作業が完了する。そして、その後は、適宜灌水を行う。
【００２２】
苗の育成方法としては、栽培場所にトレイ５を設置して、その上で苗を育成しても良いが、この方法では、従来のシートを用いた生産方法と同様に、大量生産するために、広大な栽培面積が必要となる。そこで、図７に示したように、トレイ５を高さを異ならせて支持可能な支持装置８にトレイ５を設置して、苗を育成することが好ましい。この方法によれば、小さな栽培面積で大量に生産することが可能となる。
【００２３】
なお、トレイ５を支持装置８に設置する方法としては、図７に示したように、棚４を介してトレイ５を設置しても良いし、図８に示したように、トレイ５を直接設置しても良い。トレイ５を支持装置８に直接設置する場合には、該トレイ５が着脱可能であることが好ましい。ここで、支持装置８としては、図４に示したように、所定の高さを有する本体フレーム８ａと、該本体フレーム８ａから突出する支持アーム８ｂとを有するものを用いることができる。かかる支持装置８によれば、支持アーム８ｂの上に棚を載せることで、棚が取り外し可能に支持される一方、支持アーム８ｂの上にトレイを載せることで、トレイが取り外し可能に支持される。
【００２４】
支持装置８に対して着脱可能にトレイ５を設置することにより、多数のポット１をトレイ上に載せたままで運搬することが可能となるため、出荷時においても、ポット１の運搬作業の省力化を図ることが可能になる。
【００２５】
本実施例に係る生産方法によれば、上記したように、トレイ５上に仕切り板６により区画された複数の空間７を形成し、該空間７に苗と培土との混合物３が覆土される固形培土２を設置するため、イワダレソウ属植物を１つのトレイ５上で大量に生産することが可能になる。また、１つのトレイ５上で多数の固形培土２を用いた苗の生産が実施されるため、個別に生産するよりも能率的に生産することが可能になる。
【００２６】
また、実施例１と同様に、固形培土２を苗と培土との混合物３で覆土することにより、苗の植え付け作業が完了するため、挿し芽により苗を植え付ける方法よりも効率良く苗の植え付けを実施することができ、作業者の負担も軽減することができる。
【００２７】
また、苗から発根した根は、固形培土２に根付くことになるため、根が十分に根付く前にトレイ５及び仕切り板６を外しても、固形培土２が崩れたり、苗が固形培土２から脱落することが少ない。また、固形培土２は、培土と比較して根が絡み付きやすい。従って、苗の育成期間を短縮することができ、早期の出荷が可能となる。
【００２８】
さらに、固形培土２の上面に凹部２ａを設けることにより、固形培土２の上面の表面積が増加して、根の絡み付きがさらに良くなる。従って、苗の育成期間をさらに短縮することができる。また、トレイ５及び仕切り板６を外した場合でも、凹部２ａを設けることにより苗の安定性（非脱落性）が向上するため、トレイ５及び仕切り板６を外した状態での出荷が可能となる。なお、運搬効率を考慮して、仕切り板６のみを取り外して出荷することもできる。このように少なくとも仕切り板６を外した状態で出荷すれば、定植現場において、仕切り板６を取り外す作業や仕切り板６の廃棄処理が不要になるという利点がある。一方、苗の育成場においては、仕切り板６を再利用できるという利点がある。
【図面の簡単な説明】
【００２９】
【図１】本発明の実施例１に係る生産方法を説明するための図である。
【図２】本発明の実施例１に係る生産方法を説明するための図である。
【図３】苗の育成方法の一例を示す図であり、（ａ）は概略正面図、（ｂ）は概略右側面図である。
【図４】支持装置の一例を示す概略図である。
【図５】本発明の実施例２に係る生産方法を説明するための図である。
【図６】本発明の実施例２に係る生産方法を説明するための図である。
【図７】苗の育成方法の一例を示す図であり、（ａ）は概略正面図、（ｂ）は概略右側面図である。
【図８】苗の育成方法の他の例を示す図であり、（ａ）は概略正面図、（ｂ）は概略右側面図である。
【符号の説明】
【００３０】
１  ポット
２  固形培土
２ａ  凹部
４  棚
５  トレイ
６  仕切り板
７  空間
８  支持装置
８ａ  本体フレーム
８ｂ  支持アーム
【図１】
2007282539.tif 000003
【図２】
2007282539.tif 000004
【図３】
2007282539.tif 000005
【図４】
2007282539.tif 000006
【図５】
2007282539.tif 000007
【図６】
2007282539.tif 000008
【図７】
2007282539.tif 000009
【図８】
2007282539.tif 000010